(57)【要約】高輝度放電（ＨＩＤ）ランプを動作させるための低コストの安定器回路に関するものである。この安定器回路は、ＡＣ−ＤＣコンバータにおいてＤＣを発生する回路と、このＤＣのあらゆるＡＣリップルをバッファキャパシタで捕捉して制御信号を発生する回路と、ＨＦインバータ回路を利用して、前記ＤＣから高周波ランプ電力信号を発生する回路と、前記制御信号を利用して、前記高周波電力信号を変調して周波数掃引したランプ電力信号を発生して、音響共振を回避しつつランプを駆動する回路とを具えている。
2004515894.tif 000002
【特許請求の範囲】
【請求項１】
高輝度放電（ＨＩＤ）ランプの安定動作用の安定器回路において、この安定器回路が、
ＡＣ電源からの電力をＤＣに変換するＡＣ−ＤＣコンバータを具えて、該ＡＣ−ＤＣコンバータが、前記ＤＣに乗っているＡＣリップルを捕捉するためのバッファキャパシタを具えて；
前記安定器回路がさらに、前記ＡＣ−ＤＣコンバータ及び前記ＨＩＤランプに結合した高周波インバータ兼安定器素子（ＨＦＩＢＥ）を具えて、該ＨＦＩＢＥが、前記ＨＩＤランプを駆動するためのランプ駆動信号を前記ＤＣ電力から発生する手段を具えて；
前記安定器回路がさらに、前記ＨＦＩＢＥ回路に結合したドライバ回路を具えて、該ドライバ回路が、前記ＨＦＩＢＥを駆動するための駆動信号を発生する電圧制御発振器（ＶＣＯ）を具えて；
前記安定器回路がさらに、前記バッファキャパシタ、前記ＨＦＩＢＥ、及び前記ドライバ回路に結合した周波数制御回路を具えて、
前記バッファキャパシタが前記ドライバ回路に制御信号を供給して、前記ドライバ回路内の前記ＶＣＯが、前記制御信号に応答して前記ＨＦＩＢＥを制御することによって、周波数掃引した方形波信号を出力して、前記ＨＩＤランプを音響共振状態に至らせることなく前記ランプに給電することを特徴とする安定器回路。
【請求項２】
さらに、前記ＡＣ−ＤＣコンバータと前記ＨＦＩＢＥとの間に力率修正回路を具えていることを特徴とする請求項１に記載の安定器回路。
【請求項３】
前記周波数制御回路がＲＣ回路であることを特徴とする請求項１に記載の安定器回路。
【請求項４】
前記周波数制御回路を集積回路の一部として構成したことを特徴とする請求項１に記載の安定器回路。
【請求項５】
前記周波数制御回路が、前記バッファキャパシタの電圧を検出して、前記バッファキャパシタにおける電圧の変化と共に周波数が変化する電流を発生することを特徴とする請求項３に記載の安定器回路。
【請求項６】
前記周波数制御回路が、約２２ナノファラッドのバッファキャパシタを具えていることを特徴とする請求項３に記載の安定器回路。
【請求項７】
前記ランプがメタルハライドランプであることを特徴とする請求項１に記載の安定器回路。
【請求項８】
前記ＨＦＩＢＥにおいて発生した平均ランプ電力信号が、約８０ｋＨｚの周波数及び約３９ワットの定格電力を有することを特徴とする請求項１に記載の安定器回路。
【請求項９】
前記ＨＦＩＢＥから前記ランプに出力される前記周波数掃引した信号が、約７５ｋＨｚから約８５ｋＨｚまで変化することを特徴とする請求項８に記載の安定器回路。
【請求項１０】
前記周波数制御回路が、キャパシタ及び該キャパシタに並列接続した第１抵抗を具えて、この並列結合を第２抵抗に直列接続したことを特徴とする請求項１に記載の安定器回路。
【請求項１１】
前記キャパシタが約２２ナノファラッドであり、前記第１及び第２抵抗がそれぞれ約１５８ｋΩ及び約１６９ｋオームであることを特徴とする請求項１０に記載の安定器回路。
【請求項１２】
前記ＡＣ−ＤＣコンバータが全波整流器を具えていることを特徴とする請求項１に記載の安定器回路。
【請求項１３】
前記ＡＣ−ＤＣコンバータがＥＭＩ保護回路を具えていることを特徴とする請求項１に記載の安定器制御回路。
【請求項１４】
安定動作用に非常に低コスト（ＶＬＣ）の安定器回路を具えた高輝度放電ランプにおいて、前記安定器回路が、のこぎり波状のＡＣリップル信号をバッファキャパシタ内に捕捉して、前記ランプを音響共振状態外で駆動するために用いる平均ランプ電力信号を周波数変調するための制御信号を発生し、前記安定器回路が、
ＡＣ電源に接続するＡＣ−ＤＣコンバータを具えて、該ＡＣ−ＤＣコンバータが前記バッファキャパシタを含み；
前記安定器回路がさらに、前記ＡＣ−ＤＣコンバータ兼バッファキャパシタに結合されて前記ＨＩＤランプを駆動するための方形波信号を発生する高周波インバータ兼安定器素子と；
前記バッファキャパシタが発生する制御信号をドライバに結合する結合回路とを具えて；
前記ドライバ内のＶＣＯが、前記制御信号に応答して掃引したＦＭ信号を発生して、前記掃引したＦＭ信号が前記ＨＦインバータ兼安定器に前記ＨＩＤランプを駆動させて、前記ＨＩＤランプが安定状態に維持されるようにしたことを特徴とする高輝度放電ランプ。
【請求項１５】
安定器回路を具えた高輝度放電（ＨＩＤ）ランプを動作させる低コストの方法において、
ＡＣ／ＤＣコンバータ内でＤＣを発生するステップと；
前記ＤＣのあらゆるＡＣリップルをバッファキャパシタで捕捉して、制御信号を発生するステップと；
ＨＦインバータ回路を利用して、前記ＤＣから高周波のランプ電力信号を発生するステップと；
前記制御信号を利用して、前記高周波の電力信号を変調して周波数掃引したランプ電力信号を発生して、音響共振を回避しつつ前記ランプを駆動するステップと
を具えていることを特徴とする高輝度放電ランプの動作方法。
【請求項１６】
前記周波数変調した信号が約７５ｋＨｚから約８５ｋＨｚまでの範囲を有して、音響共振に至ることなく前記ＨＩＤランプを動作させることを特徴とする請求項１５に記載の方法。
【請求項１７】
前記制御信号が約１０Ｈｚ〜１０００Ｈｚの周波数範囲を有することを特徴とする請求項１５に記載の方法。
【発明の詳細な説明】
【０００１】
（技術分野）
本発明は一般に、光輝度放電（ＨＩＤ）ランプを動作させるための安定器回路に関するものであり、特に、平均ランプ電力を調整して、ランプの安定性のための所望のＦＭ変調を達成するためのランプ（傾斜）信号を発生する独立したランプ信号発生器の必要性を回避する非常に低コスト（ＶＬＣ）の安定器に関するものである。
【０００２】
（従来技術）
例えばメタルハライドランプのような光輝度放電（ＨＩＤ）ランプの電子安定器による動作は、音響共振と称する現象（問題）を生じさせる。音響共振は、ランプ内のアークを、旋廻させ、ちらつかせて、安定器または安定器回路がＨＩＤランプを２〜３ｋＨｚ以上の周波数で動作させる際には、消弧さえもする。ＨＩＤランプにおける高周波動作は、音響共振の問題がなければ最も望ましい。
【０００３】
ＨＩＤランプに採用されるアーク管は、カップ形または円錐形の端を有する種々の大きさの形状にしたアルミナ、水晶、または硬質ガラスの中空管である。アーク管として知られているこれらの管は、一般に始動ガスを加えた、少なくとも１つのイオン化可能な金属蒸気で満たしてある。アーク管内の総圧力は、ランプの動作状態に依存する。このランプ内の圧力は、ランプが加熱されるにつれて増加する。「オルガンパイプ」と称される（音響）共振は、大きさ、形状、及びアーク管内の圧力に応じて、異なる動作周波数で発生し得る。共振点またはその付近（即ち、特定の高周波数）における動作は、音響共振、即ちアークのフリッカ（ちらつき）、アークの伸張、アークの延長及び旋廻を生じさせて、アークを消孤させてアーク管の破損さえも発生させる。
【０００４】
高周波数における音響共振の影響を克服する種々の試みが知られている。例えば、Ｂｏｎａｚｏｌｉ他に交付された米国特許４，３７３，１４６は、アーク管内部の音響共振を最小化するかあるいは回避するモードで高輝度放電（ＨＩＤ）ランプを動作させる方法及び回路を開示している。こうするために、キロヘルツ範囲の搬送波波形をＢｏｎａｚｏｌｉ周波数で変調して、可変周波数のＡＣ出力を供給している。ＡＣ信号の周波数を変化させることによって、例えばミリ秒のオーダーのような大幅な時間長にわたって、いずれの特定周波数でもランプを駆動しないようにしている。このＦＭ出力をＨＩＤランプの電極間に供給して、音響共振を最小化あるいは回避しつつランプを駆動している。
【０００５】
しかしＢｏｎａｚｏｌｉ回路は低コストではない。Ｂｏｎａｚｏｌｉ回路を従来技術の図１に再現する。Ｂｏｎａｚｏｌｉ回路は、出力をインバータ６に接続したＤＣ電源２を具え、このインバータのＤＣ入力をＤＣ電源２の出力に結合している。出力をインバータ６に結合した、ｋＨｚ範囲の搬送波波形（方形波）発生器８、並びにこの搬送波波形を周波数変調してインバータ６に可変周波数信号を供給するためのランプ信号発生手段１０（慣例のランプ信号発生回路）を具えている。ＡＣ信号をランプ電極１４間に結合させるスタータ（起動器）手段４も具えている。Ｂａｎａｚｏｌｉ方形波発生器８は、前記ランプ信号発生器が発生するのこぎり歯信号によって変調した、少なくとも２０ｋＨｚの電圧制御周波数で動作する。
【０００６】
動作中には、ランプ周期が１〜１０ミリ秒（１００〜１０００Ｈｚ）であり、これは約１マイクロ秒のフライバックを伴う。前記方形波発生器にランプ電圧を印加することによって、搬送波波形が２０ｋＨｚから３０ｋＨｚまで掃引される。そして上述したように、こうした動作のモードは、絶えず変化する高周波数によって共振を回避する。Ｂｏｎａｚｏｌｉ回路の問題は、Ｂｏｎａｚｏｌｉ及びこれと同様の、ＨＩＤランプ内の音響共振の問題を取り扱う装置及び方法において、こうした回路が、搬送波波形を変調（ＦＭ）してランプを駆動するためのランプ信号を供給するために、ランプ信号発生回路にコストをかけなければならない、ということにある。
【０００７】
従って本発明の目的は、例えばメタルハライドランプのようなＨＩＤランプを、従来技術の安定器回路の欠点を回避するような周波数変調した方形波で駆動するための簡単かつ巧妙な回路を提供することにある。本発明の他の目的は、ライン規制に適合させるためのフィードフォワード制御にＦＭを用いるＶＬＣ安定器において、簡単なＲ−Ｃ回路を利用して、バッファキャパシタから導出される低周波数（１００〜１２０Ｈｚ）のリップルを安定器回路の周波数制御部に結合させる（例えば信号出力の周波数をＶＣＯによって変化させる）、ということを提供することにある。固有のＡＣリップル信号を利用することにより、平均ランプ電力信号を周波数変調するためのランプ信号を発生する追加的な独立したランプ信号発生回路の必要性が回避される。本発明は、長いアスペクト比、即ち少なくとも１で好適には３以上のアスペクト比を有するランプにおいて、特に有用である。
【０００８】
（発明の開示）
こうするために、本発明の第１好適例は、ＨＩＤランプを駆動するための非常に低コスト（ＶＬＣ）の安定器である。このＶＬＣ安定器は、ＡＣ電力の主電源からＡＣを受けてこれをＤＣに変換するＡＣ−ＤＣコンバータブロックを具え、このＡＣ−ＤＣコンバータの出力にバッファキャパシタを設ける。このＡＣ−ＤＣコンバータの出力は、ＨＦインバータ及び安定器素子に供給する。前記バッファキャパシタが捕捉したＡＣ信号成分を、構成した周波数制御回路によってフィルタリング（濾波）して、ＨＦインバータが供給する搬送波波形を変調する高電圧ドライバ（駆動回路）、及びランプを駆動する安定器素子に供給する。この周波数制御回路は、第１抵抗に並列のキャパシタを具えて、この並列結合を第２抵抗と直列にする。ＣＢＵＦ（図４Ａに示す）から導出されるのこぎり波状の信号を前記搬送波信号に加えて、これによりこの搬送波信号を変調する。前記ＡＣは５０Ｈｚまたは６０Ｈｚのいずれかであるので、前記のこぎり波は約１００Ｈｚまたは１２０Ｈｚの周波数を有する。例えば前記搬送波波形が約８０ｋＨｚであれば、前記ドライバは８０ｋＨｚの搬送波を前記フィルタリングした「のこぎり波」信号で変調して、ランプ駆動信号の周波数を約７５ｋＨｚから約８５ｋＨｚまで変化させる。
【０００９】
なお、ＨＩＤの停電があれば、ＨＩＤランプの周波数範囲を調整する。例えば、第１好適例のＨＩＤランプは約３９ワットである。７０ワットのランプの場合には、前記範囲が４５ｋＨｚから５５ｋＨｚまで変化して、約１５０ワットを出力するランプは、約１８ｋＨｚから約２６ｋＨｚまで掃引させる。前記バッファキャパシタのＡＣ成分を用いて平均ランプ電力を調整して、ランプの安定動作、即ち知覚されない音響共振のために所望されるＦＭ変調を達成する。
【００１０】
本発明は、非常に低コストの、高輝度放電（ＨＩＤ）ランプを動作させる方法も含む。この方法は、ＡＣを受けて、これをＡＣ−ＤＣコンバータにおいてＤＣに変換することを含む。そしてこのＤＣをＨＦインバータ及び安定器回路に供給して、この安定器回路において、ＨＩＤランプを駆動する搬送波信号を発生する。前記ＡＣ−ＤＣコンバータにおいて発生したＤＣの最上部のリップルを前記バッファキャパシタによって捕捉して、これを前記ドライバに入力として供給して、前記ＨＦインバータ及び前記安定器回路を駆動する。前記のこぎり波またはリップルが、ＨＩＤランプの電極に供給する搬送波周波数（ランプ平均電力）を変調して、これにより掃引周波数信号を発生する。従って、音響共振のＨＩＤランプに対する影響を最小化するように周波数変調した信号によって、ランプが駆動される。
【００１１】
（発明を実施するための最良の形態）
以下、本発明の実施例について図面を参照して説明する。
本発明はＡＣリップルを用いてランプの電力信号を周波数変調（ＦＭ）して、このＦＭ信号を用いて高輝度放電（ＨＩＤ）ランプを駆動して、音響共振に関連する問題をなくすものである。このＡＣリップルはＡＣ−ＤＣコンバータから導出し、このＡＣ−ＤＣコンバータは、ＤＣ電力を安定器に供給して方形波搬送波信号を発生するために具えている。本発明は、ＨＩＤランプの安定器の設計者が長い間取り組んできた問題を解決する、即ち、音響共振を回避しつつ高周波数でランプを動作させる廉価かつ効率的な方法を実現する低コストの方法及び回路を提供するものである。
【００１２】
特に本発明は、ランプを駆動する平均電力を調整するためののこぎり波状の信号を、前記ＤＣに乗っているＡＣリップルから導出する低コストの安定器回路を提供するものである。即ち、前記ＡＣ−ＤＣコンバータが出力したＤＣに乗っているＡＣリップルを取り出すことによって、慣例ののこぎり波発生回路を必要とせずに、ランプを駆動するために発生するＡＣ搬送波を変調するためのリップルまたはのこぎり波状信号を利用可能にする。結果的な利益は、安定器回路についてのコストが低減されることである、というのは、安定器回路が独立したのこぎり波発生器を必要としないからである。
【００１３】
図２Ａに本発明の第１実施例を示し、これは例えば３９ワットのＨＩＤランプのＨＦ動作用の最適なＦＭを発生する安定器回路を具えている。図２Ａでは、ＡＣ−ＤＣブロックＢ１を、例えば２２ナノファラッドのバッファキャパシタＣＢＵＦの両端、及びＨＦインバータ兼安定器素子Ｂ２に接続して示してある。ＨＦインバータ兼安定器素子Ｂ２はＢ１からＤＣを受けて、これを、ＨＩＤランプＬ１を駆動するための方形波の搬送波信号に変換する。ドライバＤ１は、ＨＦインバータ兼安定器素子Ｂ２を駆動する。前記バッファキャパシタが捕捉したリップル電圧を周波数制御部ＦＣ１に指向させて、リップルの一部がドライバＤ１に供給されるようにする。ドライバＤ１内では、前記ＡＣリップル信号を利用して、方形波信号の搬送波周波数を周波数変調する。この方形波出力信号の周波数変化は、（図４Ａに示す）前記バッファキャパシタの電圧の時間的電圧変化に逆比例するように変化する。
【００１４】
図２Ｂに、ＡＣ−ＤＣブロックＢ１及び周波数制御部ＦＣ１をさらに規定した図２Ａの実施例を示す。より詳細には、ＡＣ−ＤＣブロックＢ１は、力率修正（ＰＦＣ）回路ＰＦＣに結合したＡＣ／ＤＣコンバータＡＤ１を具えている。このＰＦＣ回路は、ＤＣを、ＨＦインバータ兼安定器素子Ｂ２、及びバッファキャパシタＣＢＵＦに供給する。ＣＢＵＦは、ＡＣ／ＤＣコンバータＡＤ１内で発生したＤＣに乗っているリップルを取り出して、このリップルを周波数制御回路ＦＣ１に供給する。
【００１５】
本実施例では、前記周波数制御回路が、第１抵抗Ｒ１（本実施例では約１５８ｋΩ）に並列接続したキャパシタＣＦＭ（本実施例では２２ナノファラッド）を具えて、この並列結合を第２抵抗Ｒ２（本実施例では約１６９ｋΩ）に直列接続している。前記ＰＦＣ回路はドライバＤ１に信号を供給して、この信号に、ＨＦインバータ兼安定器素子Ｂ２で発生した方形波信号（平均ランプ電力）を周波数変調させて、ランプＬ１を駆動する。換言すれば、前記ＤＣ上のリップルを前記ドライバに供給して、平均ランプ電力の周波数を変化させる。例えば、平均ランプ電力信号、即ちＨＦインバータ兼安定器素子Ｂ２が発生する方形波が、約８０ｋＨｚで動作しているものと仮定する（約３９ワットのＨＩＤランプについての平均、即ち周波数は電力と逆の関係にある）。６０ＨｚのＡＣでは、前記リップルが約１２０Ｈｚであり、このリップルが８０ｋＨｚの信号を、約７５ｋＨｚから約８５ｋＨｚまでに変調する。
【００１６】
図２Ｃに、ＡＣ−ＤＣブロックＢ１のＡＣ／ＤＣコンバータＡＤ１をさらに、ＥＭＩ保護回路Ｂ１−１及び全波整流回路Ｂ１−２を含むべく規定した、図２Ａ及び図２Ｂの実施例を示す。以下に、両実施例の構成のより詳細を説明し、これらの動作は当業者にとって既知である。
【００１７】
図３に、図２Ａにより一般的に示した、ＨＩＤの高周波（ＨＦ）動作用の周波数変調（ＦＭ）を最適化する第１実施例の安定器回路のより詳細な図を示し、本明細書に開示する発明原理によるものである。
【００１８】
図３の左から右に説明すれば、ＡＣ電力（ＡＣ幹線）を本発明の安定器回路の端子Ｌ、Ｎ、及びＧに供給する。このＡＣをＥＭＩ保護回路Ｂ１−１によってフィルタリング（濾波）する。ＥＭＩ保護回路Ｂ１−１は、バリスタＶ１の負極端、及び同相（コモンモード）フィルタのチョーク変圧器Ｔ１の１次側の第１端に取り付けたヒューズＦ１を具えている。バリスタＶ１の正極端を、フィルタのチョーク変圧器Ｔ１の２次側の第１端、及び端子Ｎに接続する。Ｔ１の１次側の第２端を、差動フィルタのインダクタＬ１の第１端に接続する。差動フィルタのインダクタＬ１の第２端は、全波整流回路Ｂ１−２、及び差動キャパシタＣＤＭの上部に接続する。キャパシタＣＤＭの第２端は同相キャパシタＣＣＭの上部に接続し、同相キャパシタＣＣＭの第２端は端子Ｇに接続する。
【００１９】
全波整流器Ｂ１−２では、キャパシタＣＤＭの第１端を、ダイオードＤ１の負極端及びダイオードＤ３の正極端に接続する。キャパシタＣＣＭの第１端及びキャパシタＣＤＭの第２端を、ダイオードＤ４の正極端及びダイオードＤ２の負極端に接続する。ダイオードＤ１及びＤ２の正極端を、ＰＦＣ部のダイオードＤ５の負極端に接続する。ダイオードＤ５の正極端を、ダイオードＤ６の負極端、キャパシタＣＰＦの上部、及びＨＦインバータ兼安定器素子Ｂ２のキャパシタＣＲ１に接続する。ダイオードＤ６の正極端を、キャパシタＣＦＭとＲ１との並列結合、トランジスタＱ１のソース端、及びキャパシタＣＢＵＦの第１端に接続して、この並列結合を抵抗Ｒ２と直列接続する。キャパシタＣＢＵＦの第２端を、ダイオードＤ３及びＤ４の負極、及び抵抗Ｒ５の第１端に接続し、さらにドライバＤ１に直接接続する。
【００２０】
周波数制御部の抵抗Ｒ２の第２端、トランジスタＱ１のゲート、トランジスタＱ１のドレイン、トランジスタＱ２のゲート、及びトランジスタＱ２のドレインも、ドライバＤ１に接続する。キャパシタＣＲ１の第２端をインダクタＬ２の第１端に接続して、このインダクタの第２端を、キャパシタＣＲ２と変圧器Ｔ２の１次側との並列結合の第１端に接続する。変圧器Ｔ２の２次側は、キャパシタＣＤＣを通してランプＬ１に接続する。キャパシタＣＲ２の第２端及び変圧器Ｔ２の１次側の第２端は、キャパシタＣＯの第１端、トランジスタＱ１のドレイン及びトランジスタＱ２のソース、キャパシタＣＦの第１端、及びドライバＤ１の入力に接続する。
【００２１】
動作中には、ＡＣ−ＤＣブロックによってＡＣがＤＣに変換されて、ＨＦインバータ兼安定器素子が、ランプを駆動するための平均電力信号を（平均周波数
【外１】
2004515894.tif 000003
で）発生して、周波数ｆｉＬを有する電流ＩＬがランプを通ることになり、図４Ｂに示すように、周波数ｆｉＬの平均値［外１］は平均ランプ電力に比例する。もちろん音響共振を回避するために、平均周波数を絶えず変化させて、ランプがいかなる時間長でも固定周波数（例えば高周波数）で駆動されることを防止して、ランプの固定周波数での駆動は音響共振を生じさせ得る。独立した回路を利用してのこぎり波状の信号を発生して平均ランプ電力信号を周波数変調する代わりに、ＡＣ−ＤＣブロックＢ１内の全波整流器における変換の後に、前記バッファキャパシタがＤＣに乗っているＡＣリップルを捕捉して、これをフィルタリング（濾波）して、フィルタリングした信号をドライバ回路内に含まれるＶＣＯに供給する。
【００２２】
図４Ａに、バッファキャパシタＣＢＵＦの電圧ＶＣＢＵＦの変化を示す。この電圧は、
【外２】
2004515894.tif 000004
で示す時間平均を有する。
【００２３】
好適な形態では、前記ドライバがＣＦＬ用の高電圧ドライバを具体化することができ、例えばイタリア国のＳＴ Ｍｉｃｒｏｅｌｅｃｔｒｏｎｉｃｓ 社が供給するＬ６５６７である。前記リップル信号が、前記ＨＦインバータ兼安定器素子からの方形波信号出力（３９ワットの平均定格電力及び約８０ｋＨｚの平均周波数）を、約７５ｋＨｚから約８５ｋＨｚまでの範囲の周波数で掃引させる。なお、記載した実施例は単に好適例を示す目的であり、請求項で保護される範囲を限定するものではない。
【００２４】
記載した安定器回路に加えて、本発明は、ＡＣ−ＤＣコンバータからのＤＣ出力に乗っている固有のＡＣリップルから導出されるのこぎり波状信号を利用して、ランプに給電するためのランプ電力信号の周波数変調を制御する方法を具体化することができる。
【００２５】
本発明の方法及び装置が多くの応用を有すること、及び本発明が本明細書に開示した代表例に限定されないことは、当業者が認識することができる。さらに本発明の範囲は、本明細書に記載したシステムまたは回路構成要素に対する、当業者にとって既知の通常知られている変更及び変形をカバーする。
【図面の簡単な説明】
【図１】のこぎり波発生器を具えたＨＩＤ安定器を駆動する従来技術の回路の回路図である。
【図２Ａ】本発明のＨＩＤランプのＨＦ動作用のＦＭを最適に発生する回路の図式的なブロック図である。
【図２Ｂ】図２ＡのＨＩＤランプのＨＦ動作用のＦＭを最適に発生する回路のより詳細な図式的ブロック図である。
【図２Ｃ】図２ＢのＨＩＤランプのＨＦ動作用のＦＭを最適に発生する回路のより詳細な図式的ブロック図である。
【図３】図２ＡのＨＩＤランプのＨＦ動作用のＦＭを最適に発生する回路の特定具体例の詳細回路図である。
【図４Ａ】図４Ａはバッファキャパシタの両端の電圧の時間的変化、及びランプ内の電流の周波数の時間的変化を表わす図である。
【図４Ｂ】図４Ｂはバッファキャパシタの両端の電圧の時間的変化、及びランプ内の電流の周波数の時間的変化を表わす図である。
【国際公開パンフレット】
2004515894.tif 000005
2004515894.tif 000006
2004515894.tif 000007
2004515894.tif 000008
2004515894.tif 000009
2004515894.tif 000010
2004515894.tif 000011
2004515894.tif 000012
2004515894.tif 000013
2004515894.tif 000014
2004515894.tif 000015
2004515894.tif 000016
2004515894.tif 000017
2004515894.tif 000018
2004515894.tif 000019
【国際公開パンフレット（コレクトバージョン）】
2004515894.tif 000020
【国際調査報告】
2004515894.tif 000021
2004515894.tif 000022
2004515894.tif 000023